(57)【要約】      （修正有）【課題】経年変化や短時間の過負荷による漏れ電流増加時のバリスタの熱破壊を防止する。【解決手段】バリスタ３は、第１の端子６と第２の端子７とを有し、絶縁性分離素子５は、第１の端子６に対して相対的に可動に配置されており、サージ防護素子１の通常状態において、導電性接続素子４の第１の終端部８は第１の端子６と導電性接続されており、かつ、絶縁性分離素子５は自身の第１の位置に保持されており、バリスタ３が臨界的な状態に達すると、導電性接続素子４の第１の終端部８と第１の端子６との間の接続が解除され、絶縁性分離素子５は力によって自身の第２の位置に動かされて第１の終端部８と第１の端子６との間に配置され、第１の終端部８と第１の端子６との間に発生する電弧１０が部分的に閉じられているチャンバ１１内へ移動されるように、絶縁性分離素子５が構成されていることにより、電力網からの確実な分離が保証される。【選択図】図１
2018063945.tif 000002
【特許請求の範囲】
【請求項１】
サージ防護素子（１）であって、当該サージ防護素子（１）は、
ハウジング（２）と、前記ハウジング（２）内に配置されているサージ制限構成素子（３）、特にバリスタと、導電性接続素子（４）と、少なくとも１つの絶縁性分離素子（５）とを有しており、
前記サージ制限構成素子（３）は、第１の端子（６）と第２の端子（７）とを有しており、
前記絶縁性分離素子（５）は、前記サージ制限構成素子（３）の前記第１の端子（６）に対して相対的に可動に配置されており、したがって、前記絶縁性分離素子（５）は、第１の位置から第２の位置に移動可能であり、
前記サージ防護素子（１）の通常状態において、前記導電性接続素子（４）の第１の終端部（８）は、前記サージ制限構成素子（３）の前記第１の端子（６）と導電性接続されており、かつ、前記絶縁性分離素子（５）は、自身の第１の位置において保持されており、
前記サージ制限構成素子（３）が臨界的な状態に達すると、前記導電性接続素子（４）の前記第１の終端部（８）と前記サージ制限構成素子（３）の前記第１の端子（６）との間の接続が解除され、前記絶縁性分離素子（５）は、力によって、自身の第２の位置に動かされ、当該第２の位置では、前記分離素子（５）の一部は、前記導電性接続素子（４）の前記第１の終端部（８）と前記サージ制限構成素子（３）の第１の端子（６）との間に配置されている、
サージ防護素子（１）において、
前記接続の解除時に、前記導電性接続素子（４）の前記第１の終端部（８）と前記サージ制限構成素子（３）の前記第１の端子（６）との間に発生している電弧（１０）が、少なくとも１つの、部分的に閉じられているチャンバ（１１）内へ移動されるように、前記少なくとも１つの絶縁性分離素子（５）が構成されている、
ことを特徴とするサージ防護素子（１）。
【請求項２】
前記サージ防護素子（１）の通常状態において、前記導電性接続素子（４）の前記第１の終端部（８）は、熱によって解除される接続（９）を介して、前記サージ制限構成素子（３）の前記第１の端子（６）と導電性接続されており、前記熱によって解除される接続（９）は、前記サージ制限構成素子（３）の境界温度を超えると解除される、請求項１記載のサージ防護素子（１）。
【請求項３】
前記絶縁性分離素子（５）は、可動にハウジング（１２）内に配置されおり、前記ハウジングの容積は、前記分離素子（５）の体積よりも大きく、
前記ハウジング（１２）は、開口部（１３）を有しており、当該開口部を通って、前記サージ防護素子（１）の通常状態において、前記導電性接続素子（４）の前記第１の終端部（８）は、前記サージアレスタ（３）の前記第１の端子（６）と導電性接続されており、
前記チャンバ（１１）は、前記ハウジング（１２）の、前記サージ防護素子（１）の通常状態において前記絶縁性分離素子（５）が配置されていない領域によって形成される、請求項１または２記載のサージ防護素子（１）。
【請求項４】
前記ハウジング（１２）は、前記チャンバ（１１）の領域において、排出開口部（１５）を有している、請求項３記載のサージ防護素子（１）。
【請求項５】
前記絶縁性分離素子（５）は、開口部（１７）を有しており、当該開口部を通って、前記サージ防護素子（１）の通常状態において、前記導電性接続素子（４）の前記第１の終端部（８）が、前記サージアレスタ（３）の前記第１の端子（６）と導電性接続されている、請求項１から４までのいずれか１項記載のサージ防護素子（１）。
【請求項６】
前記絶縁性分離素子（５）内には、少なくとも１つのチャネル（２２）が形成されており、前記チャネルは、前記チャンバ（１１）の方を向いている面で開放されている、請求項１から５までのいずれか１項記載のサージ防護素子（１）。
【請求項７】
前記ハウジング（１２）内には、少なくとも１つのウェブまたは分離壁（３３）が形成されており、前記ウェブまたは前記分離壁は、前記絶縁性分離素子（５）の運動方向に延在しており、したがって、前記ウェブもしくは前記分離壁（３３）によって、前記ハウジング（１２）内の前記チャンバ（１１）は少なくとも２つの部分チャンバ（１１’,１１’’）に分けられている、請求項６記載のサージ防護素子（１）。
【請求項８】
前記絶縁性分離素子（５）は、少なくとも１つの排出開口部（２３）を有しており、当該排出開口部を介して、前記チャネル（２２）は、前記ハウジング（１２）の内部と接続されており、前記ハウジング（１２）は、有利には少なくとも１つの排出開口部（２４）を有している、請求項６または７記載のサージ防護素子（１）。
【請求項９】
前記絶縁性分離素子（５）内の前記排出開口部（２３）は、前記チャンバ（１１）とは反対側に位置する面に形成されており、前記ハウジング（１２）内の前記排出開口部（２４）は、前記分離素子（５）内の前記排出開口部（２３）と向かい合っている、請求項８記載のサージ防護素子（１）。
【請求項１０】
前記絶縁性分離素子（５）内の前記排出開口部（２３）と前記ハウジング（１２）内の前記排出開口部（２４）との間で、排出チャネルが前記ハウジング（１２）内に延在しており、前記排出チャネル内には、有利には、流れ出るプラズマ（１４）を冷却および／または緩和するための媒体が配置されている、請求項６から８までのいずれか１項記載のサージ防護素子（１）。
【請求項１１】
前記ハウジング（１２）および／または前記絶縁性分離素子（５）は少なくとも部分的に、気体発生性の材料から成る、請求項３から１０までのいずれか１項記載のサージ防護素子（１）。
【請求項１２】
前記ハウジング（１２）および／または前記絶縁性分離素子（５）は、機械的かつ熱的に安定している材料から成る、請求項３から１１までのいずれか１項記載のサージ防護素子（１）。
【請求項１３】
複数の絶縁性分離素子（５，５’）を有しており、
各分離素子（５，５’）は、可動にハウジング（１２，１２’）内に配置されており、各ハウジング（１２，１２’）は、開口部（１３，１３’）を有しており、前記開口部（１３，１３’）は、次のように相互に配置されている、すなわち、前記サージ防護素子（１）の通常状態において、前記導電性接続素子（４）の前記第１の終端部（８）が、前記開口部（１３，１３’）を通して、前記サージ制限構成素子（３）の前記第１の端子（６）と導電性接続されているように、相互に配置されている、請求項３から１２までのいずれか１項記載のサージ防護素子（１）。
【請求項１４】
前記サージ防護素子（１）の通常状態において、少なくとも２つの絶縁性分離素子（５，５’）は、実質的に、前記サージ制限構成素子（３）の前記第１の端子（６）の異なる側に配置されており、前記少なくとも２つの分離素子（５，５’）の運動方向は、相互に逆である、請求項１３記載のサージ防護素子（１）。
【請求項１５】
発生している電弧（１０）がその中に移動可能なチャンバ（１１）として、少なくとも１つのチャネル（２５）が前記絶縁性分離素子（５）内に形成されており、前記チャネルは、前記サージ制限構成素子（３）の前記第１の端子（６）の方を向いている側で開放されており、
前記導電性接続素子（４）の前記第１の終端部（８）は、前記絶縁性分離素子（５）の前記第２の位置において、前記分離素子（５）の前記チャネル（２５）内に配置されている、請求項１または２記載のサージ防護素子（１）。
【請求項１６】
前記サージ防護素子（１）の通常状態において前記絶縁性分離素子（５）が存在していない、前記サージ制限構成素子（３）の前記第１の端子（６）の側に、閉鎖素子（２６）が配置されており、当該閉鎖素子（２６）に、前記絶縁性分離素子（５）が自身の第２の位置において、前記チャネル（２５）の前記開放されている面で当接している、請求項１５記載のサージ防護素子（１）。
【請求項１７】
前記サージ制限構成素子（３）から突出している第１の端子（６）を有しており、
前記絶縁性分離素子（５）内には第２のチャネル（２５’）が形成されており、前記第２のチャネル（２５’）は、前記第１のチャネル（２５）に対して平行に延在しており、
前記絶縁性分離素子（５）の前記第２の位置では、前記導電性接続素子（４）の前記第１の終端部（８）は、前記第１のチャネル（２５）内に配置されおり、前記サージ制限構成素子（３）の前記端子（６）は、前記第２のチャネル（２５’）内に配置されている、請求項１５または１６記載のサージ防護素子（１）。
【請求項１８】
前記第１のチャネル（２５）および／または前記第２のチャネル（２５’）は、前記絶縁性分離素子（５）の前記第２の位置において、前記閉鎖素子（２６，２８）に当接している、請求項１７記載のサージ防護素子（１）。
【請求項１９】
排出開口部（３０）が、前記絶縁性分離素子（５）の少なくとも１つの壁部内に形成されており、有利には、前記絶縁性分離素子（５）の前記第１の位置において、前記サージ制限構成素子（３）の前記第１の端子（６）から間隔が空けられている、前記第２のチャネル（２５’）の後方壁（２９）内に形成されている、請求項１７または１８記載のサージ防護素子（１）。
【発明の詳細な説明】
【技術分野】
【０００１】
本発明は、サージ防護素子に関する。このサージ防護素子は、ハウジングと、ハウジング内に配置されているサージ制限構成素子と、導電性接続素子と、少なくとも１つの絶縁性分離素子とを有しており、このサージ制限構成素子は、第１の端子と第２の端子とを有しており、絶縁性分離素子は、サージ制限構成素子の第１の端子に対して相対的に可動に配置されており、したがって、この分離素子は、第１の位置から第２の位置へと移動可能である。
【背景技術】
【０００２】
サージ防護とは、過度に高い電圧からの、電気機器および電子機器の防護であると理解されたい。設備および機器を防護するための必要な措置は、予期されるサージに従って、種々の段階に分けられている。個々の段階に対する防護機器は、ここで、特に、導出能力の高さと防護レベルによって異なっている。第２の防護段階のサージアレスタ、いわゆるタイプ２のサージアレスタは、概ね、サージ制限防護素子としてバリスタを有しており、これは、残余電圧が低い場合に、高い導出能力を実現する。しかし、この他に、ガスが充填されたサージアレスタまたはダイオードも、サージ制限防護素子として使用可能である。通常状態では、バリスタの漏れ電流は相対的に小さい。しかし、これは、時間の経過において、経年変化または短時間の過負荷によって高くなってしまうことがある。このような場合において、これと結び付いている加熱が、バリスタの熱による破壊を生じさせてしまうことがある。これは同様に、隣接する構成部品または機器での損傷を生じさせてしまうことがある。したがって、熱によるバリスタの破壊が阻止されなければならない。このために、従来技術では、熱的な分離装置が使用される。これは、境界温度を超えた場合に、バリスタを防護されるべき電力網から切り離す。
【０００３】
独国特許発明第４２４１３１１号明細書（DE 42 41 311 C2）から、サージ防護素子が公知である。このサージ防護素子は、バリスタの状態を監視するために、熱的な分離装置を有している。このサージ防護素子は、防護されるべき電流経路に接続するための２つの接続コンタクトを有している。第１の接続コンタクトは、柔軟な導体を介して、導電性接続素子と接続されている。この導電性接続素子の、柔軟な導体とは反対側に位置する終端部は、はんだ箇所を介して、バリスタに設けられている接続フラッグと接続されている。別の接続コンタクトは、柔軟な導体を介して、バリスタの第２の接続フラッグと固定的に接続されている。導電性接続素子には、ばね系によって力が加えられ、この力によって、この接続素子は、はんだ接続の解除時に、接続フラッグから直線的に離されて、バリスタは、熱による過負荷の際に、電気的に切り離される。分離箇所の開放の際に発生する電弧を消去するために、接続素子は、はんだ接続の解除後に、接続フラッグに対してできるだけ大きい間隔を有していなければならない。これには、サージ防護素子の比較的大きい構造体積が必要になる。
【０００４】
はんだ接続の溶解に基づく、既知のサージ防護素子において使用される熱的な分離装置は、解決しなければならない多くの課題を有している。サージ防護素子の通常状態、すなわち、分離されていない状態では、確実かつ良好な電気的接続が、割り当てられている接続コンタクトと、サージ制限構成素子との間で保証されていなければならない。特定の境界温度を超えた場合、分離箇所は、サージ制限構成素子の確実な分離と、継続的な絶縁耐性と、クリープ電流耐性とを保証しなければならない。サージ防護機器が例えば、搬送レール機器に対して設定されている大きさを超えないようにするために、サージ防護素子の寸法ができるだけ小さくあるべき場合、サージ防護素子は、直流電圧網での使用時には、比較的小さい消去能力しか有していない。
【０００５】
米国特許第６４３００１９号明細書（US 6,430,019 B1）は、熱的な分離装置を備えるサージアレスタを開示している。ここでは、ばね性を有しているコンタクトリードの終端部が、はんだ箇所を介して、バリスタの端子と接続されている。バリスタの許容されない加熱が生じると、これによってはんだ接続の溶解が生じ、これにしたがって変位されたコンタクトリードの終端部が、バリスタの端子から離れるようにはずむ。同時に、発生している可能性のある電弧を消去するために、絶縁性分離素子が、コンタクトリードとバリスタとの間を移動する。この絶縁性分離素子の寸法は、バリスタの寸法より小さいので、この分離素子によって、バリスタの部分領域しか覆われず、したがって、電弧もしくはコンタクトの領域内に形成されたプラズマがこの分離素子を中心に再び閉じて、バリスタを介して電流が流れ続ける、ということを排除することはできない。
【０００６】
冒頭に記載したサージ防護素子は、独国実用新案第２０２０１４１０３２６２号明細書（DE 20 2014 103 262 U1）からも既知である。このようなサージ防護素子では、サージ制限構成素子として、ガスが充填されたサージアレスタが使用され、したがって、このサージ防護素子を介して、大きいインパルス電流も導出可能である。サージ防護素子はさらに、絶縁性分離素子を有しており、この絶縁性分離素子は、ばね素子の力によって、第１の位置から第２の位置へと移動され得る。このサージ防護素子では、第１の接続コンタクトは継続的に、サージアレスタの第１の電極と導電性接続されている。サージ防護素子の通常状態では、すなわち、サージアレスタが許容できない程度に加熱されていないときには、導電性接続素子の第１の終端部は、熱によって解除される接続を介して、サージアレスタの第２の電極と電気的に接続されている。また、接続素子の第２の終端部は、第２の接続コンタクトと導電性接続されている。サージ防護素子の通常状態ではさらに、絶縁性分離素子が、導電性接続素子の第１の終端部とサージアレスタの第２の電極との間に実現されている接続によって、自身の位置に保持される。
【０００７】
サージアレスタが、サージ防護素子の継続的な過負荷が原因で著しく加熱されて、境界温度を超えると、はんだ接続の溶解、ひいては、導電性接続素子とサージアレスタの属する電極との間の熱による接続が解除される。絶縁性分離素子は、次に、ばね素子の力によって自身の第２の位置へ動かされる。分離素子のこの位置においては、分離素子の一部は、導電性接続素子の第１の終端部と、サージアレスタの属する電極との間に配置されている。したがって、導電性接続素子と、サージアレスタとの間の直接的な接続は解除されている。しかし、ここでも、次のような虞が生じる。すなわち、接続素子の終端部と、サージアレスタの割り当てられている端子との間に依然として存在しているプラズマが原因で、電弧が残り、電流がサージアレスタを介して流れ続け、これによって、サージ防護素子が熱によって破壊され得る、という虞である。
【先行技術文献】
【特許文献】
【０００８】
【特許文献１】独国特許発明第４２４１３１１号明細書
【特許文献２】米国特許第６４３００１９号明細書
【特許文献３】独国実用新案第２０２０１４１０３２６２号明細書
【発明の概要】
【発明が解決しようとする課題】
【０００９】
したがって、本発明の課題は、電力網からのサージ防護素子の確実な切り離しが保証され、これによって、サージ制限構成素子の熱による破壊が阻止される、上述した形式のサージ防護素子を提供するということである。
【課題を解決するための手段】
【００１０】
上述の課題は、請求項１に記載された特徴を有するサージ防護素子において、絶縁性分離素子が、次のように構成されていることによって解決される。すなわち、導電性接続素子の第１の終端部と、サージ制限構成素子の第１の端子との間の電気的な接続の解除時に発生する電弧が、少なくとも部分的に閉じられているチャンバ内へ移動されるように構成されていることによって解決される。絶縁性分離素子による電弧のこの変位によってはじめに、電弧の長さが増長され、これによって、電弧燃焼電圧、すなわち、電弧の保持に必要な電圧が高まる。さらに、電弧によって、導電性接続素子の第１の終端部と、サージ制限構成素子の第１の端子との間の領域に存在しているプラズマも、コンタクト間の領域から移動される。したがって、絶縁性分離素子の運動によって生じる、ガイドされた、コンタクト間の領域からのプラズマの排出が生じ、これは同様に、電弧燃焼電圧の上昇へとつながる。これによって、導電性接続素子とサージ制限構成素子の端子と間の接続の開放時に、に発生する電弧が消去され、電弧の新たな点弧が確実に阻止される。
【００１１】
絶縁性分離素子を、自身の第１の位置から自身の第２の位置へと移動させる力は、例えば、ばね素子によって生成され得る。このためにばね素子が、分離素子と接続されている、もしくは分離素子に結合されている。これに対して、選択的に、この力が、膨張性の材料によって調達されてもよく、この材料は、特定の温度に達すると広がり、これによって、絶縁性分離素子が自身の第１の位置から自身の第２の位置へと移動する。
【００１２】
冒頭に記載されているように、サージ防御素子の通常状態では、導電性接続素子の第１の終端部は、サージ制限構成素子の第１の端子と導電性接続されている。接続素子のこの終端部と、サージ制限構成素子のこの端子との間の接触接続部は、ここでは、例えば、貫通接続部として形成されていてよい。このために、接続素子が、相応にプリロードされていてよい、または、力、例えばばねの力によって、サージ制限構成素子の端子に押しつけられていてよい。サージ制限構成素子の臨界的な状態では、次に、接続が解除される。これは、少なくとも、導電性接続素子の第１の終端部が、サージ制限構成素子の端子から離れるように動かされることによって行われる。サージ制限構成素子の臨界的な状態を、例えば、電流測定または温度測定によって確認することができる。
【００１３】
しかし、有利には、この接続は、熱によって解除される接続として構成されており、これはサージ制限構成素子の温度が境界温度を超えると解除され、したがって、これは、熱的な分離装置である。従来技術においては通常であるように、本発明に係るサージ防護素子でも、熱によって解除される接続は、有利には、はんだ接続によって実現される。サージ制限構成素子すなわちサージアレスタが、継続的な過負荷に基づいて、著しく強く加熱され、所定の境界温度を超える場合には、サージアレスタの端子と導電性接続素子との間のはんだ接続の溶解が起こる。さらに、絶縁性分離素子が、力によって、有利には、少なくとも１つのばね素子の力によって、サージアレスタの端子と、導電性接続素子の割り当てられている終端部との間で動かされる。
【００１４】
本発明に係るサージ防護素子の第１の有利な実施形態では、絶縁性分離素子は、可動に、ハウジング内に配置されており、このハウジングの容積は、分離素子の体積よりも大きい。すなわち、ハウジングの内部は、部分的にしか、絶縁性分離素子によって満たされない。サージ防護素子の通常状態において絶縁性分離素子が配置されていないハウジング内の領域は、ここで、チャンバを形成する。このチャンバ内へ、導電性接続素子の第１の終端部とサージ制限構成素子の第１の端子との間の電気的な接続の分離時に発生する電弧が、分離素子によって移動される。さらに、複数の部分から成り得るこのハウジングは開口部を有しており、この開口部を通じて、サージ防護素子の通常状態において、導電性接続素子の第１の終端部が、サージアレスタの第１の端子と導電性接続されている。
【００１５】
本発明に係るサージ防護素子では、絶縁性分離素子が、自身の第１の位置から、自身の第２の位置へと運動することによって、導電性接続素子とサージ制限構成素子との間の接続が解除されるだけではなく、ハウジング内のチャンバ内への電弧の変位も生じる。導電性接続素子の第１の終端部と、サージアレスタの第１の端子との間の接続解除時には、コンタクトの領域内に存在しているプラズマも、ハウジング内のチャンバ内へ押し込まれる。このために、サージ制限構成素子の第１の端子の方を向いている、絶縁性分離素子の端面は、種々に構成されていてよく、例えばくさび形または漏斗の形を有していてよい。
【００１６】
本発明のある構成では、絶縁性分離素子は開口部を有しており、この開口部を通じて、サージ防護素子の通常状態において、導電性接続素子の第１の終端部が、サージアレスタの第１の端子と導電性接続されている。絶縁性分離素子内の開口部はここでは、ハウジング内の開口部に対して一致するように形成されている。したがって、サージ防護素子の通常状態では、導電性接続素子の第１の終端部は、ハウジング内の開口部を通って、および絶縁性分離素子内の開口部を通って延在し、有利には、熱によって解除される接続を介して、例えばはんだ接続を介して、サージアレスタの端子と接続されている。
【００１７】
本発明に係るサージ防護素子の有利な構成では、ハウジングは、チャンバの領域において排出開口部を有しており、この排出開口部を介して、分離素子によってハウジング内へ押し込まれたプラズマが流れ出ることができる。これによって有利には、プラズマはコントロールされて、ハウジングから抜け出ることができ、これによって、電弧の新たな点弧の虞がさらに低減される。さらに、ハウジング内の排出開口部によって次のことが保証される。すなわち、絶縁性分離素子が、自身の第１の位置から自身の第２の位置へと動かされ、これによってプラズマがハウジング内へ押し込まれる場合に、ハウジング内の圧力が過度に大きくならない、ということが保証される。これによって、ハウジングの損傷が阻止される。排出開口部は、ここで有利には、自身の第１の位置から自身の第２の位置へと分離素子が移動される場合に、分離素子が近づいていく、ハウジングの壁部内に位置する。
【００１８】
本発明の別の特に有利な構成では、絶縁性分離素子内に、少なくとも１つのチャネルが形成されており、このチャネルは、チャンバの方を向いている側で開放されている。したがって、絶縁性分離素子は、一種の中空体として形成されている。この絶縁性分離素子は、導電性接続素子の第１の終端部と、サージ制限構成素子の第１の端子との間の接続が解除された後に、自身の第１の位置から自身の第２の位置へと移動され、したがって、ここでは、閉じられている分離素子の場合のように、発生している電弧が、ハウジング内のチャンバ内へ押し込まれる。ここで、プラズマの一部も、ハウジング内のチャンバ内へ押し込まれ、また、プラズマの別の部分は、分離素子内のチャネルにおいて、分離素子の運動方向とは反対に流れる。
【００１９】
これによっても、導電性のプラズマは、効果的に、開放されているコンタクト間の領域から排出される。
【００２０】
このような構成のある変形では、ハウジング内に、ウェブまたは分離壁が形成されている。これは絶縁する分離素子の運動方向に延在しており、したがって、このウェブもしくは分離壁によって、ハウジング内のチャンバが、２つの部分チャンバに分けられる。絶縁性分離素子が、自身の第１の位置から自身の第２の位置へ移動されると、ウェブもしくは分離壁は、分離素子内のチャネル内に埋没する。ここで、この絶縁性分離素子内には、複数のチャネルが形成され、かつ、ハウジング内に相応して複数のウェブまたは分離壁が形成されていてよい。したがって、ハウジング内には相応して、複数の部分チャンバが形成されている。ハウジングは、この場合にはチャンバ状の構造を有している。
【００２１】
絶縁性分離素子が、自身の第１の位置から自身の第２の位置へと分離素子が運動する際にプラズマがその中へ流れ込む少なくとも１つのチャネルを有している場合、分離素子は有利には少なくとも１つの排出開口部を有しており、この排出開口部を通じて、プラズマが、絶縁性分離素子から流れ出ることができる。この排出開口部は、ここで、例えば、チャンバとは反対側に位置する側で、絶縁性分離素子内に形成されていてよい。したがって、分離素子内に形成されているチャネルは、この排出開口部を介して、ハウジングの内部と接続されており、ここで、このハウジングは、有利には同様に、排出開口部を有している。これは、分離素子内の排出開口部に対向して配置されていてよい、または、別の側壁に配置されていてもよい。サージ防護素子のこのような構成の場合、プラズマは、絶縁性分離素子の運動方向とは反対の方向に、分離素子内のチャネルを通って流れ、ハウジング内の排出開口部を介して、コントロールされて、ハウジングから抜け出ることができる。
【００２２】
ハウジングの内壁と、絶縁性分離素子の外壁との間に、排出チャネルが形成されていてよく、この排出チャネルを通って、プラズマが分離素子内のチャネルから、分離素子内の排出開口部を通って、ハウジング内の排出開口部へと流れることができる。ここで、高温のプラズマの冷却をさらに高めるために、排出チャネル内に、流れ出るプラズマを冷却するための媒体が配置されていてよい。これは有利には、プラズマの流れを緩和するためにも用いられる。ここでは、これは例えば、ハニカム構造を有する材料のことであり、これは高い多孔性を有している。同様に、これが、粒子状の材料、例えば砂または砂利であってもよい。
【００２３】
絶縁性分離素子が可動にハウジング内に配置されている実施形態では、絶縁性分離素子とハウジングとは、次のように相互に調整されている。すなわち、ハウジングの内部空間の横断面が、分離素子の横断面よりも僅かにだけ大きいように、相互に調整されている。これによって、ハウジングの内壁と、絶縁性分離素子の外壁との間に、その中で電弧が広がり得る相対的に狭い間隙のみが生じる。これによって、間隙内の圧力が高くなり、これは、電弧燃焼電圧を高くさせる。さらにハウジングおよび／または絶縁性分離素子が少なくとも部分的に、気体発生性の材料から成る場合、これによってさらに、絶縁性分離素子とハウジングの内壁との間の間隙における電弧が、放出する材料によって吹き流され、これによって冷却される。これも、電弧の故意の消去を促進させる。
【００２４】
ハウジングと絶縁性分離素子とが、場合によっては発生する高い温度または高い圧力を確実に保つために、ハウジングと、有利には絶縁性分離素子も、機械的かつ熱的に安定している材料から成り、有利には繊維強化された材料から成る。
【００２５】
分離素子の横断面へのハウジングの内部空間の調整によってさらに、絶縁性分離素子は、自身の第１の位置からハウジング内の自身の第２の位置への自身の運動時に、案内される。さらに、絶縁性分離素子とハウジングの内壁との間に、ガイド部分が形成されていてよく、これは例えばガイドリップおよびガイド溝の形態であり、これらは相互に一致するように、絶縁性分離素子に、もしくはハウジング内に形成されている。
【００２６】
上述したように、本発明に係るサージ防護素子は、少なくとも１つの絶縁性分離素子を有しており、これは相応に形成されていてよい。本発明のある構成では、サージ防護素子が有している分離素子は１つではなく、複数個であり、これらはそれぞれ、サージ制限構成素子の第１の端子に対して可動に配置されており、有利には、力が加えられており、この力によって、これらの分離素子はそれぞれ、第１の位置から第２の位置へ移動可能である。
【００２７】
サージ防護素子が、複数の絶縁性分離素子を有している場合には、有利には、各分離素子は、ハウジング内にまたはハウジング部分内に可動に配置されており、ここで、各ハウジングまたは各ハウジング部分は開口部を有しており、これらの開口部同士は次のように、相互に配置されている。すなわち、サージ防護素子の通常状態において、導電性接続素子の第１の終端部がこれらの開口部を通して、サージアレスタの第１の端子と導電性接続されているように相互に配置されている。したがって、個々の絶縁性分離素子は一種の直列回路を形成し、したがって、個々の分離素子は、接続が解除された後にそれぞれ、自身の第２の位置に動かされ、ここでは、分離素子は、導電性接続素子の第１の終端部と、サージ制限構成素子の第１の端子との間に配置されている。サージ防護素子が例えば２つの絶縁性分離素子を有している場合、接続解除状態において、２つの絶縁性分離素子は、導電性接続素子の第１の終端部とサージアレスタの第１の端子との間に配置されている。
【００２８】
有利には、ここで、サージ防護素子の通常状態において、少なくとも２つの絶縁性分離素子が、実質的に、サージ制限構成素子の第１の端子の異なる側に、これらの分離素子の運動方向が相互に逆であるように配置されている。実質的に第１の端子の異なる側に配置されている、とは、ここでは、次のことを意味している。すなわち、少なくとも、これらの絶縁性分離素子の大きい方の部分が、異なる側に配置されている、ということを意味している。したがって、絶縁性分離素子の小さい方の部分が、第１の端子の同じ側に配置されていてもよく、例えば、これは、分離素子内にそれぞれ１つの開口部が形成されている場合である。この開口部を通じて、サージ防護素子の通常状態において、接続素子の第１の終端部が第１の端子へと延びる。この種の分離素子は、したがって、通常状態において、第１の端子の両側に延在しており、しかし、ここでは大きい方の部分は、端子の片方の側に配置されている。
【００２９】
サージ防護素子が２つの絶縁性分離素子を有している場合、これは例えば次のことを意味している。すなわち、サージ防護素子の通常状態において、第１の分離素子が、サージ制限構成素子の端子の左側に配置されており、第２の分離素子が、サージ制限構成素子の端子の右側に配置されていることを意味している。接続解除時には、次に、第１の分離素子は自身のハウジング内で、左から右へと動かされ、第２の分離素子は自身のハウジング内で、右から左へと動かされる。これによって、熱による接続の解除時に発生する電弧の長さがさらに増長され、プラズマが、絶縁性分離素子によって、対向する方向において、２つのチャンバ内へ押し込まれる。
【００３０】
絶縁性分離素子に関連して上述した、分離素子もしくはハウジングの有利な構成は、それぞれ、次の場合にも実現可能である。すなわち、サージ防護素子が複数の絶縁性分離素子と、複数のハウジングもしくは複数のハウジング部分を有している場合である。例えば、ハウジング内もしくはハウジング部分内にそれぞれ１つの排出開口部が形成されていてよく、したがって、プラズマは、これらの排出開口部を通って、異なる方向において、ハウジングから、コントロールされて、抜け出ることができる。個々のハウジングは有利には直接的に相互に隣接して配置されており、したがって、ハウジングの内部空間はそれぞれ、分離壁のみによって相互に分離されている。ここで、この分離壁は、導電性接続素子の第１の終端部に対する開口部によって中断されている。個々のハウジングが、相互に、固定的に、共通のハウジングに接続されていてもよい。したがって、この１つのハウジングは、複数のハウジング部分を有している。この場合には、これらのハウジング部分内に、個々の分離素子に対して、それぞれ１つの相応するチャンバが形成されている。
【００３１】
本発明に係るサージ防護素子の別の実施形態では、絶縁性分離素子内に少なくとも１つのチャネルが形成されている。このチャネルは、熱的な接続の解除時に発生する電弧がその中へ移動可能なチャンバとして機能する。チャネルは、ここで、サージ制限構成素子の第１の端子の方を向いている側で開放されており、絶縁性分離素子は次のように、サージ制限構成素子の第１の端子に対して相対的に可動である。すなわち、導電性接続素子の第１の終端部が、分離素子内のチャネルにおける絶縁性分離素子の第２の位置に配置されているように、可動である。
【００３２】
本発明に係るサージ防護素子のこの構成では、絶縁性分離素子は、自身の第２の位置において、その全体が、サージ制限構成素子の第１の端子と、導電性接続素子の第１の終端部との間に位置するのではなく、絶縁性分離素子は、自身のチャネルによって、導電性接続素子の第１の終端部を介して移動される。導電性接続素子の第１の終端部は、ここでは、チャネルを画定している下方の壁部によって、サージ制限構成素子の第１の端子から分離されている。絶縁性分離素子が、サージ制限構成素子の第１の端子を通過して動く際に、発生している電弧が、チャンバとして機能するチャネル内へ押し込まれ、これによって、サージ制限構成素子の第１の端子と、導電性接続素子の第１の終端部との間で電弧の長さが増長し、これは通常、電弧の消去につながる。付加的に、コンタクト間の領域内に形成されているプラズマの、コンタクト間のアクティブ領域からの排出も生起される。ここで、絶縁性分離素子は、付加的にさらに、少なくとも１つの排出開口部を有しており、これを通ってプラズマが、分離素子内のチャネルから流れ出ることができる。
【００３３】
この実施形態の発展形態では、サージ防護素子の通常状態において、絶縁性分離素子が存在していない、サージ制限構成素子の第１の端子の側に、閉鎖素子が配置されており、この閉鎖素子に、絶縁性分離素子が、自身の第２の位置において、チャネルの開放されている側で当接する。絶縁性分離素子が、自身の第２の位置に存在している場合には、これによって、チャネルの開放されている側が、この閉鎖素子によって閉じられており、したがって、場合によっては依然として発生している電弧が「（縛って）止められる」もしくは「切り離される」。絶縁性分離素子の第２の位置ではこの場合に、導電性接続素子の第１の終端部が完全にカプセル封入され、したがって、接続素子とサージアレスタの第１の端子との間で電弧が新たに点弧されることはない。閉鎖素子は、ここで、貫通する開口部を有しており、導電性接続素子はこの開口部を通って延在するので、閉鎖素子は、接続素子に対する保持部としても用いられる。
【００３４】
本発明に係るサージ防護素子においてサージ制限構成素子が、突出している第１の端子を有している場合、最後に記載した実施形態の別の構成では、絶縁性分離素子内に第２のチャネルが形成されており、この第２のチャネルは、第１のチャネルに対して平行に延在している。第２のチャネルは、ここで、次のように形成されている。すなわち、自身の第１の位置から自身の第２の位置への絶縁性分離素子の運動時に、分離素子が、自身の第２のチャネルともに、サージアレスタのこの突出している端子を介して移動されるように形成されている。絶縁性分離素子の第２の位置では、次に、導電性接続素子の第１の終端部は、第１のチャネル内に配置されており、サージアレスタの端子は第２のチャネル内に配置されている。したがって、端子と接続素子とは絶縁性分離素子によって包囲されており、ここで、端子と接続素子とは、分離素子内の異なるチャネル内に位置しており、したがって、これらは相互に分離されており、かつ、電気的に絶縁されている。
【００３５】
絶縁性分離素子が、有利には鉛直に、サージアレスタから突出している第１の端子に対して相対的に移動されることを可能にするために、サージアレスタの方を向いている、絶縁性分離素子の下面は、第２のチャネルの領域において開放されている、または第２のチャネルは、自身の下面において、運動方向に延在するスリットを有しており、端子はこのスリット内へ導かれる。
【００３６】
第２のチャネルは、ここでは、第１のチャネルと同様に、サージ制限構成素子の第１の端子の方を向いている側で開放されていてよい。この場合にこの絶縁性分離素子は、自身の第１の位置において、分離素子の運動方向において、サージ制限構成素子の第１の端子の隣に配置されている。このような形態では、有利には、２つの閉鎖素子が次のように設けられている。すなわち、絶縁性分離素子が自身の第２の位置にあるときには、２つのチャネルの開放されている側がそれぞれ、閉鎖素子によって閉じられているように設けられている。
【００３７】
これに対して、選択的に、絶縁性分離素子が次のように構成されていてもよい。すなわち、サージ制限構成素子の第１の端子が、第２のチャネル内の分離素子の第１の位置に配置されているように構成されていてもよく、ここでは、導電性接続素子の第１の終端部は、サージ制限構成素子の第１の端子に接触接続している。このために、第１のチャンバは、第２のチャンバよりも短く、したがって、絶縁性分離素子の第１の位置では、第１のチャンバが、分離素子の運動方向において、導電性接続素子の第１の終端部の隣に配置されており、また、サージ制限構成素子の第１の端子は第２のチャネル内に配置されている。
【００３８】
絶縁性分離素子内に２つのチャネルが形成されているサージ防護素子の構成でも、有利には、サージ防護素子の通常状態において絶縁性分離素子が存在していない、サージ制限構成素子の第１の端子の側に、少なくとも１つの閉鎖素子が配置されており、この閉鎖素子に、絶縁性分離素子が、自身の第２の位置において、チャネルの開放されている側で当接している。
【００３９】
別の有利な構成では、絶縁性分離素子は、少なくとも１つの排出開口部を有しており、有利には、絶縁性分離素子の第１の位置において、サージ制限構成素子の第１の端子から間隔が空けられている、第２のチャネルの後方壁において有しており、したがって、プラズマが、排出開口部を通って、コントロールされて、相応するチャネルの内部から流れ出ることができる。これによって、次のことが阻止される。すなわち、絶縁性分離素子が、チャネルの開放されている側が閉鎖素子によって閉鎖されている自身の第２の位置にある場合、絶縁性分離素子内のチャネル内で過度に大きい圧力が形成されてしまうことが阻止される。
【００４０】
本発明に係るサージ防護素子の上述した実施例では、１つもしくは複数の絶縁性分離素子は、押出し機として形成されている。したがって、１つもしくは複数の分離素子は、直線的に、第１の位置から第２の位置へと移動される。
【００４１】
詳細には、本発明に係るサージ防護素子を構成し、展開させる多数の方法がある。これに関しては、請求項１に続く請求項も、図面に関連した有利な実施例の後続する説明も参照されたい。
【図面の簡単な説明】
【００４２】
【図１】本発明に係るサージ防護素子の第１の実施例の、異なる３つの状態における、側面から見た概略図。
【図２】絶縁性分離素子と、この分離素子を収容するハウジングの、側面から見た２つの変形。
【図３】絶縁性分離素子と、この分離素子を収容するハウジングの、上から見た３つの変形。
【図４】絶縁性分離素子と、この分離素子を収容するハウジングの、図１に示された視線方向Ａからの２つの変形。
【図５】３つの異なる状態における、２つの絶縁性分離素子を有する本発明に係るサージ防護素子の、図１に示された実施例のある変形の概略図。
【図６】３つの異なる状態における、本発明に係るサージ防護素子の第２の実施例の概略図。
【図７】３つの異なる状態における、本発明に係るサージ防護素子の別の実施例の概略図。
【図８】３つの異なる状態における、本発明に係るサージ防護素子の第４の実施例の概略図。
【図９】３つの異なる状態における、図８に示されたサージ防護素子の平面図の形態の概略図。
【図１０】３つの異なる状態における、本発明に係るサージ防護素子の第５の実施例の概略図。
【図１１】３つの異なる状態における、図１０に示されたサージ防護素子の平面図の形態の概略図。
【図１２】３つの異なる状態における、本発明に係るサージ防護素子の別の実施例の概略図。
【図１３】３つの異なる状態における、本発明に係るサージ防護素子の別の実施例の概略図。
【発明を実施するための形態】
【００４３】
図は、図において部分的にしか示されていないハウジング２を備えるサージ防護素子１の種々の実施例の概略図を示している。このハウジング内にバリスタ３がサージ制限構成素子として配置されている。さらに、サージ防護素子１は、導電性接続素子４と少なくとも１つの絶縁性分離素子５とを有しており、これについて、図２乃至図４に種々の実施形態が示されている。
【００４４】
バリスタ３は、第１の端子６と第２の端子７とを有しており、これらは、サージ防護素子１が通常状態にある場合、すなわち、分離されていない場合に、ここでは図示されていない、サージ防護素子１の接続コンタクトと導電性接続されている。図１ａに示された、サージ防護素子１の通常状態では、バリスタ３の第１の端子６は、導電性接続素子４の第１の終端部８と、熱によって解除される接続を介して接続されている。図示された実施例では、熱によって解除される接続ははんだ接続９として形成されている。これは、バリスタ３の温度が境界値に達すると解除される。サージ防護素子１の通常状態において存在しているはんだ接続９によって、絶縁性分離素子５は、例えばばね素子によって生成可能な、分離素子５に加わる力に反して、自身の第１の位置に保持される。
【００４５】
バリスタ３の許容されない加熱が生じると、バリスタは、はんだ接続９を軟化させる。これによってまずは、接続素子４の第１の終端部８が、バリスタ３の第１の端子６から離れるように動く。これは例えば次のことによって実現される。すなわち、接続素子４自体が弾性を有しており、これが、はんだ接続９を介して端子４と接続されている場合に、自身の弛緩状態から変位されることによって実現される。しかし、これに対して、選択的に、はんだ接続９から離れる方向の力が接続素子４に力が加えられてもよい。さらに、図１ｃに示されているように、絶縁性分離素子５が、自身の第１の位置から自身の第２の位置の方向へ動かされる。これによっても、バリスタ３の第１の端子６から離れる方向の、接続素子４の第１の終端部８の運動がサポートされ得る。本発明に係るサージ防護素子１では、絶縁性分離素子５は、ここでは次のように形成されている。すなわち、絶縁性分離素子５が、接続９の解除時に、接続素子４の第１の終端部８と、バリスタ３の端子６との間に発生している電弧１０を、少なくとも１つの、部分的に閉じられているチャンバ１１内へ押し込むように形成されている。
【００４６】
図２乃至図６は、本発明に係るサージ防護素子１の種々の実施例を示している。ここでは絶縁性分離素子５が可動に、ハウジング１２内に配置されており、このハウジング１２の容積は、分離素子５の体積よりも大きく、ハウジング１２は部分的にのみ、分離素子５によって満たされている。ハウジング１２は、開口部１３を有しており、この開口部１３を通じて、サージ防護素子１の通常状態において、導電性接続素子４の第１の終端部８が、バリスタ３の第１の端子６と、はんだ接続９を介して導電性接続されている。これは例えば図１ａから見て取れる。
【００４７】
図１に示された実施例では、絶縁性分離素子５は、サージ防護素子１の通常状態において、バリスタ３の第１の端子６に関して、ハウジング１２内の左側に位置しており、ハウジング１２の右側はチャンバ１１を包囲しており、このチャンバ１１内には、はんだ接続９の解除時に、端子６と接続素子４との間に発生している電弧１０が、絶縁性分離素子５によって押し込められる。これによって、図１ｃから見て取れるように、電弧１０が格段に長くなり、これによって、電弧１０が消去される。さらに、プラズマ１４も、コンタクト間、すなわち、バリスタ３の第１の端子６と接続素子４の第１の終端部８との間のアクティブ領域から押し出されているので、コンタクト間の、そうでない場合に生じ得る、電弧の新たな点弧も阻止される。
【００４８】
図１ｂは、ここで概略的に、はんだ接続９が解除されており、接続素子４の終端部８が、バリスタ３の端子６から離されている状態を示している。ここでは、接続素子４の終端部８とバリスタ３の端子６との間に延在している電弧１０もしくは接続素子４の終端部８とバリスタ３の端子６との間に形成されているプラズマ１４も示されている。はんだ接続９が解除され、第２の位置への分離素子５の運動が、すなわち、図１において右側への運動が既に始まっている場合でも、絶縁性分離素子５は、ここで、依然として第１の位置に示されている。
【００４９】
自身の第１の位置から自身の第２の位置への絶縁性分離素子５の運動時に、ハウジング１２内のチャンバ１１内の圧力が過度に高くならないようにするために、ハウジング１２は、少なくとも１つの排出開口部１５を有しており、図１ｃにおいて矢印によって示されているように、この排出開口部を通ってプラズマ１４がコントロールされて流れ出ることができる。これによって、チャンバ１１内へ移動されたプラズマ１４によって生じる、過度に高い圧力または過度に高い温度によるハウジング１２の損傷が阻止される。排出開口部１５は、ここで有利には、分離素子５が自身の第２の位置へ動かされるときに、分離素子５が近づいていく、ハウジング１２の壁部内に位置する。選択的または付加的に、チャンバ１１を包囲しているハウジング１２の別の壁部内にも排出開口部が形成されていてよい。
【００５０】
図２乃至図４は、絶縁性分離素子５ならびに、その中に分離素子５が案内されているハウジング１２の種々の実施形態を示している。図２には、ハウジング１２と分離素子５とが、図１にも示されているように、側面から示されており、ここではハウジング１２の側壁は取り除かれており、ハウジング１２内に配置されている分離素子５が見える。図３には、ハウジング１２と分離素子５とが平面図で示されている。ここでは、ハウジング１２の上面は取り除かれており、これによって、ここでも分離素子５が見て取れる。
【００５１】
図２ａおよび図２ｂでは、サージ防護素子１の通常状態において、バリスタ３の第１の端子６もしくは接続素子４の第１の終端部８の方を向いている、絶縁性分離素子５の端面１６は、例えば弓状またはくさび形に形成されていてよい。図３ｃの平面図から明らかであるように、分離素子５の端面１６が漏斗状に形成されていてもよい。同様に、図３ａおよび図３ｂに示されているように、絶縁性分離素子５の端面１６が直線状に形成されていてもよい。図３ｂに示されている実施例では、絶縁性分離素子５は開口部１７を有しており、この開口部を通って、サージ防護素子１の通常状態において、導電性接続素子４の第１の終端部８がはんだ接続９を介して、バリスタ３の第１の端子６と接続されている。説明のために、ここでは、ハウジング１２内の相応する開口部１３の下方に配置されている、バリスタ３の第１の端子６も示されている。
【００５２】
それぞれ、絶縁性分離素子５およびハウジング１２の変形を、チャンバ１１の方向から示している、図４に示されている２つの図から次のことが見て取れる。すなわち、絶縁性分離素子５とハウジング１２とが、ハウジング１２の内部空間の横断面が僅かにだけ、分離素子５の横断面よりも大きくなるように相互に調整されていることが見て取れる。これによって、ハウジング１２の内壁と、絶縁性分離素子５の上面ならびに下面との間にそれぞれ、図１ｃに示されているように、その中で電弧１０が広がることができる、極めて狭い間隙のみが生じる。さらにこれによって、分離素子５が、ハウジング１２において、自身の運動時に、第１の位置から第２の位置へと案内される。この案内を改善するために、絶縁性分離素子５はさらに、図４ａに示されているように、ガイドリップ１８を有していてよく、これに対して、ハウジング１２の内壁内には、一致するガイド溝１９が形成されている。これに対して、選択的に、図４ｂでは、ハウジング１２の内壁に、ガイドリップ２０が形成されていてよく、絶縁性分離素子５内には、一致するガイド溝２１が形成されていてよい。
【００５３】
図５は、同様に、３つの異なる状態における、図１に示されているサージ防護素子１の変形の概略図を示している。図１のサージ防護素子１では、絶縁性分離素子５が１つだけ設けられており、図５のサージ防護素子１は、２つの絶縁性分離素子５、５’を有しており、これらはそれぞれ、ハウジング１２、１２’内で移動可能に案内されている。２つのハウジング１２、１２’はそれぞれ１つの開口部１３、１３’を有しており、ここで、これら２つの開口部１３、１３’は相互に重なって、すなわち、相互に同一平面を成すように配置されている。したがって、サージ防護素子１の通常状態において、導電性接続素子４の第１の終端部８は、２つの開口部１３、１３’を通じて、はんだ接続９を介して、バリスタ３の第１の端子６と導電性接続されている。
【００５４】
図５ａから見て取れるように、２つの絶縁性分離素子５、５’は、サージ防護素子１の通常状態において、バリスタ３の第１の端子６の異なる側に配置されている。これに対応して、２つのハウジング１２、１２’内に形成されているチャンバ１１、１１’も、バリスタ３の第１の端子６の異なる側に形成されており、これによって、２つの分離素子５、５’の運動方向も相互に逆になる。図５ｃから見て取れるように、第１の、下方の分離素子５は、はんだ接続９の解除時に、ハウジング１２内で左から右へと動かされ、第２の、上方の分離素子５’は、自身のハウジング１２’内で右から左へと動かされる。２つの絶縁性分離素子５、５’は、したがって、２つの、逆方向の押出し機のように作用し、したがって、はんだ接続９の解除時に生じる電弧１０の長さはさらに増長され、プラズマ１４は２つの絶縁性分離素子５、５’によって、反対方向において、２つのハウジング１２、１２’の２つのチャンバ１１、１１’内へ押し込まれる。ハウジング１２、１２’の端面に形成された排出開口部１５、１５’を介して、プラズマ１４は同様に、コントロールされて抜け出ることができ、ここでは、排出開口部１５、１５’も異なる側に形成されている。
【００５５】
図６には、本発明に係るサージ防護素子１の別の実施例の概略図が示されている。ここでこの実施例では、絶縁性分離素子５内にチャネル２２が形成されている。このチャネルは、チャンバ１１もしくはバリスタ３の第１の端子６の方を向いている側で開放されている。絶縁性分離素子５が、はんだ接続９の解除後に、自身の第１の位置（図６ａ）から自身の第２の位置（図６ｃ）の方向へ動かされると、ここで、発生している電弧１０が、ハウジング１２内のチャンバ１１内へ押し込まれる。付加的に、プラズマ１４もはじめに、チャンバ１１内へ押し込まれる。しかし、ここでは、プラズマ１４の一部が、分離素子５の運動方向に対して反対に、分離素子５内のチャネル２２内へも流れる。ここで、絶縁性分離素子５内に、チャンバ１１とは反対側に位置する側に形成されている排出開口部２３を通って、プラズマ１４が、チャネル２２からハウジング１２内へ流れることができる。次に、ハウジング１２の、第１の排出開口部１５に対向する側に形成されている、ハウジング１２内に形成されている第２の排出開口部２４を通って、プラズマ１４が、分離素子５の運動方向に対して反対の方向においても、ハウジング１２から抜け出ることができる。
【００５６】
図７に示されているさらなる実施例では、絶縁性分離素子５内に、チャネル２５が形成されている。ここで、このチャネルは、その中へ、はんだ接続９の解除時に発生する電弧１０が移動され得るチャンバとして機能する。分離素子５の、バリスタ３の第１の端子６の方を向いている側で、チャネル２５は開放されているので、分離素子５が自身の第１の位置（図７ａ）から自身の第２の位置（図７ｃ）へ動くときに、分離素子５は自身の、片方の側が開放されているチャネル２５とともに、導電性接続素子４の第１の終端部８を介して移動される。接続素子４は、この場合には、チャネル２５を制限している、下方の壁部によって、バリスタ３の第１の端子６から分離されている。したがって、この実施形態では、分離素子５が自身の第２の位置にある場合、導電性接続素子４の１つの部分、特に、その第１の終端部８は、絶縁性分離素子５によって包囲されている。ここでも、はんだ接続９の解除時に発生する電弧１０は、分離素子５によって、チャネル２５によって形成されるチャンバ１１内へ移動される。これははじめに、電弧１０の長さの増大を生じさせる。
【００５７】
図７からさらに見て取れるように、サージ防護素子１の通常状態において絶縁性分離素子５が存在していない、バリスタ３の第１の端子６の側に、閉鎖素子２６が設けられている。絶縁性分離素子５は自身の第２の位置において、この閉鎖素子２６に、チャネル２５の開放された側で当接する。次に、分離素子５の第２の位置では、片方の側が開放されているチャネル２５が、閉鎖素子２６によって密閉され、これによって、場合によっては、依然として発生している電弧１０が「縛られる」もしくは「切り離される」。したがって、電弧１０は、遅くともこのときに消去される。閉鎖素子２６は、貫通している開口部２７を有しており、接続素子４はこれを通って案内される。したがって、閉鎖素子２６は、接続素子４に対する保持部としても用いられる。
【００５８】
図８および図９は、本発明に係るサージ防護素子１の別の実施例を示している。ここで、この絶縁性分離素子５は、２つのチャネル２５、２５’を有している。これら２つのチャネルは、相互に平行に延在している。２つのチャネル２５、２５’は、バリスタ３の第１の端子６の方を向いている側で開放されており、したがって、絶縁性分離素子５の第２の位置において、接続素子４の第１の終端部８は第１のチャネル２５内に配置されており、バリスタ３の第１の端子６は分離素子５内の第２のチャネル２５’内に配置されている。バリスタ３の第１の端子６が平面状に、バリスタ３の面に形成されている、図７に示されている実施例とは異なり、図８および図９に示されているサージ防護素子１では、第１の端子６は実質的にバリスタから鉛直に突出している。絶縁性分離素子５が、突出している第１の端子６に対して相対的に動かされることを可能にするために、第２のチャネル２５’は、バリスタ３の方を向いている自身の下面において、分離素子５の運動方向に延在するスリットを有している。端子６は、第１の位置から自身の第２の位置への分離素子５の移動時にこのスリット内で導かれてよい。
【００５９】
第１のチャネル２５に対する閉鎖素子２６の他に、第２の閉鎖素子２８が第２のチャネル２５’に対する遮断部として、分離素子５の第２の位置において設けられている。したがって、分離素子５の第２の位置において、２つのチャネル２５、２５’は、２つの閉鎖素子２６、２８によって閉じられている、もしくは密閉されている。さらに、第２のチャネル２５’の開放されている面に対向している、絶縁性分離素子５の後方壁２９には、排出開口部３０が形成されており、この排出開口部を通って、プラズマ１４がコントロールされて、チャンバ２５’から流れ出ることができる。
【００６０】
図１０および図１１は、上述され、図８および図９に示された、本発明に係るサージ防護素子１の実施例の変形を示している。ここでは、第１の端子６は、実質的に、バリスタ３から鉛直に突出しており、絶縁性分離素子５は同様に、相互に平行に延在している２つのチャネル２５、２５’を有している。この実施例では、図１１ａから見て取れるように、バリスタ３の第１の端子６は、絶縁性分離素子５の第１の位置において、部分的に第２のチャネル２５’によって包囲されている。このために、第２のチャネル２５’は、バリスタ３の端子６の方を向いている側で開放されている第１のチャネル２５よりも長い。したがって、絶縁性分離素子５の第１の位置では、第１のチャネル２５は、接続素子４の第１の終端部８の左隣に位置している。
【００６１】
図１１ｃに示されている絶縁性分離素子５の第２の位置では、接続素子４の第１の終端部８は第１のチャネル２５内に配置されており、バリスタ３の第１の端子６は第２のチャネル２５’内に配置されている。これら２つのチャネル２５、２５’は、ここで、第１のチャネル２５の長手方向壁部および付加的な壁部３１から相互に分離されており、ここで、この付加的な壁部３１は、バリスタの第１の端子６と同様に、実質的にバリスタ３からもしくはハウジング２から鉛直に、バリスタ３を包囲するように、突出している。
【００６２】
この実施例では、第２のチャネル２５’は第２の後方壁３２を有しているので、閉鎖素子２６だけが、第１のチャネル２５に対する遮断部として、分離素子５の第２の位置内に設けられている。分離素子５の第２の位置においてこれによって同様に、２つのチャネル２５、２５’が閉じられているもしくは密閉されている。さらに、絶縁性分離素子５の第１の位置において、サージ制限構成素子３の第１の端子６から間隔を空けて配置されている第２のチャネル２５’の後方壁２９内に、排出開口部３０が形成されており、この排出開口部を通って、プラズマ１４がコントロールされて、チャネル２５’から流れ出ることができる。
【００６３】
図１２には、本発明に係るサージ防護素子１の別の実施例が示されている。ここで、これは、図６に示された実施例の変形である。この実施例でも、絶縁性分離素子５内に、チャネル２２が形成されており、このチャネルは、バリスタ３の第１の端子６の方を向いている側で開放されている。ハウジング１２の別の側には、分離壁３３がハウジング１２内に形成されており、したがって、チャンバ１１は、２つの部分チャンバ１１’、１１’’に分けられている。分離壁３３は、絶縁性分離素子５内のチャネル２２よりも僅かに薄く、したがって、絶縁性分離素子５が自身の第１の位置から自身の第２の位置へと動くと、分離壁３３はチャネル２２内へ導かれる。
【００６４】
絶縁性分離素子５が、はんだ接続９の解除後に、自身の第１の位置（図１２ａ）から自身の第２の位置（図１２ｃ）の方向に動かされると、ここで、発生している電弧１０およびプラズマ１４が、ハウジング１２内の２つの部分チャンバ１１’、１１’’内へ押し込まれる。付加的に、電弧１０およびプラズマ１４の一部は、分離素子５の運動方向とは反対に、分離素子５内のチャネル２２内へ押し込まれる。これは、電弧１０の大きい延長を生じさせる。絶縁性分離素子５に対向している、ハウジング１２の側に形成されている、ハウジング１２内に形成されている排出開口部１５を通って、プラズマ１４は、分離素子５の運動方向において、ハウジング１２から抜け出ることができる。
【００６５】
最後に図１３は、本発明に係るサージ防護素子１の、図６に示されている実施例の別の変形を示している。この実施例では、ハウジング１２内に、２つの絶縁性分離素子５、５’が配置されている。これらの分離素子は、バリスタ３の通常状態において、バリスタ３の第１の端子６の異なる側に位置している。すなわち、分離素子５は端子６の左側に配置されており、分離素子５’は端子６の右側に配置されている。第１の、左側の分離素子５内には、２つのチャネル２２、２２’が形成されている。これら２つのチャネルは、分離壁３４によって相互に分けられている。第２の、右側の分離素子５’内に、３つのチャネル２２、２２’、２２’’が形成されており、これらのチャネルは２つの分離壁３４、３４’によって相互に分離されている。ここで、これらのチャネルおよび分離壁は２つの分離素子５、５’において、次のように相互に配置されている。すなわち、２つの分離素子５、５’がそれぞれ自身の第１の位置から自身の第２の位置へと移動するときに、これら２つの絶縁性分離素子５、５’が、櫛の歯状に噛み合うように相互に配置されている。これによって、はんだ接続９の解除後に発生する電弧１０がメアンダ状に、個々のチャネル２２、２２’、２２’’内へ押し込まれ、これは、電弧１０の長さの著しい増長を生じさせる。同時にプラズマ１４も、２つの絶縁性分離素子５、５’内の個々のチャネル２２、２２’、２２’’内へ押し込まれる。
【００６６】
分離素子５、５’内に形成されている排出開口部２３を介して、プラズマ１４は、分離素子５、５’内のチャネル２２、２２’、２２’’から、２つの方向において、ハウジング１２内へ流れることができる。付加的に、ハウジング１２の２つの端面に形成されている排出開口部１５、２４によってさらに、プラズマ１４がハウジング１２から、コントロールされて抜け出ることが可能になる。
【図１】
2018063945.tif 000003
【図２】
2018063945.tif 000004
【図３】
2018063945.tif 000005
【図４】
2018063945.tif 000006
【図５】
2018063945.tif 000007
【図６】
2018063945.tif 000008
【図７】
2018063945.tif 000009
【図８】
2018063945.tif 000010
【図９】
2018063945.tif 000011
【図１０】
2018063945.tif 000012
【図１１】
2018063945.tif 000013
【図１２】
2018063945.tif 000014
【図１３】
2018063945.tif 000015
【外国語明細書】
2018063945.tif 000016
2018063945.tif 000017
2018063945.tif 000018
2018063945.tif 000019
2018063945.tif 000020
2018063945.tif 000021
2018063945.tif 000022
2018063945.tif 000023
2018063945.tif 000024
2018063945.tif 000025
2018063945.tif 000026
2018063945.tif 000027
2018063945.tif 000028
2018063945.tif 000029
2018063945.tif 000030
2018063945.tif 000031
2018063945.tif 000032
2018063945.tif 000033
2018063945.tif 000034
2018063945.tif 000035
2018063945.tif 000036
2018063945.tif 000037
2018063945.tif 000038
2018063945.tif 000039
2018063945.tif 000040
2018063945.tif 000041
2018063945.tif 000042
2018063945.tif 000043
2018063945.tif 000044
2018063945.tif 000045
2018063945.tif 000046
2018063945.tif 000047
2018063945.tif 000048
2018063945.tif 000049
2018063945.tif 000050
2018063945.tif 000051
2018063945.tif 000052
2018063945.tif 000053
2018063945.tif 000054
2018063945.tif 000055
2018063945.tif 000056
2018063945.tif 000057
2018063945.tif 000058
2018063945.tif 000059